(57)【特許請求の範囲】
【請求項１】
刃受ばねを有するコンセント本体が納装された外シェルの前面に上記刃受ばねに対応する栓刃挿入孔が形成されたテーブルタップであって、外シェルの内部にコンセント本体が納装され、上記コンセント本体は、一対乃至複数対の刃受ばねと各刃受ばねを互いに電気的に接続する導電体とこの導電体を外部電線に電気的に接続する給電端子片とが一体化されたコンセントコアブロックと、コンセントコアブロックを納装する内ケースとで構成され、内ケースは内部ボディと内部カバーとからなると共に内部ボディ又は内部カバーの一方に嵌合部を設け、他方に該嵌合部に引っ掛け係止される嵌合爪を設け、上記外シェルの長さ方向の両側に、栓刃挿入孔に隣接して、電気機器に直流を供給するＡＣアダプターの栓刃が設けられる側の接続面を載置するための平坦で且つ外シェルの長さ方向に延びたアダプター載置面を設けたことを特徴とするテーブルタップ。
【請求項２】
刃受ばねを有するコンセント本体が納装された外シェルの前面に上記刃受ばねに対応する栓刃挿入孔が形成されたテーブルタップであって、外シェルの内部にコンセント本体が納装され、コンセント本体は、一対乃至複数対の刃受ばねと各刃受ばねを互いに電気的に接続する導電体とこの導電体を外部電線に電気的に接続する給電端子片とが一体化されたコンセントコアブロックと、コンセントコアブロックを納装する内ケースとで構成され、内ケースは内部ボディと内部カバーとからなると共に内部ボディと内部カバーとを鋲によりかしめ接続し、上記外シェルの長さ方向の両側に、栓刃挿入孔に隣接して、電気機器に直流を供給するＡＣアダプターの栓刃が設けられる側の接続面を載置するための平坦で且つ外シェルの長さ方向に延びたアダプター載置面を設けたことを特徴とするテーブルタップ。
【請求項３】
コンセントコアブロックの給電端子片に、かしめ圧着によって外部電線が接続されるかしめ圧着部を一体に設けたことを特徴とする請求項１又は請求項２記載のテーブルタップ。
【請求項４】
外部電線の給電端子片との接続部分にかかる張力を除去する張力除去手段を設けたことを特徴とする請求項１又は請求項２記載のテーブルタップ。
【請求項５】
外シェルの背面側に金属製の机やキャビネットなどに磁着されるマグネットを収納するマグネット収納凹所を設け、該マグネット収納凹所内にマグネットを係止するマグネット係止手段を設けたことを特徴とする請求項１又は請求項２記載のテーブルタップ。
【請求項６】
コンセントコアブロックに別のコンセントコアブロックに電気的に接続可能な一対の接続端子片を設けると共に、両接続端子片を互いに段差状に配置して成ることを特徴とする請求項１又は請求項２記載のテーブルタップ。
【請求項７】
コンセント本体の通電状態を表示するための通電表示手段を設けたことを特徴とする請求項１又は請求項２記載のテーブルタップ。
【発明の詳細な説明】
【０００１】
【発明の属する技術分野】
この発明は、テーブルタップに関するものである。
【０００２】
【従来の技術】
従来より、複数の刃受ばねを有するコンセント本体が納装された外シェルの前面に上記刃受ばねに対応して複数の栓刃挿入孔を設けたテーブルタップにおいて、例えばパソコン等のＯＡ機器に用いられるＡＣアダプター４を接続する場合、図１８（ａ）のように、ＡＣアダプター４がテーブルタップ１の外側にはみ出て不安定な状態となり、この場合、ＡＣアダプター４がその自重で下方に傾いて栓刃４ａが栓刃挿入孔６から抜け出る恐れがあり、電源が不用意に切れてパソコン等への入力中のデーターが消去されてしまうといった問題がある。そこでＡＣアダプター４を安定して接続するために、図１８（ｂ）のようにＡＣアダプター４全体をテーブルタップ１の上に乗せるようにして接続すると、ＡＣアダプター４によって複数の栓刃挿入孔が塞がれ、ＡＣアダプター４以外のプラグ等を接続できなくなるという問題があった。
【０００３】
【発明が解決しようとする課題】
本件発明は、上記従来例に鑑みてなされたもので、ＡＣアダプターをテーブルタップに接続する際に、ＡＣアダプターが複数の栓刃挿入孔を塞ぐことなく、しかもテーブルタップの外側にはみ出すことなく安定して接続できるようにしたテーブルタップを提供することを課題とし、また組立て易く、高品位で、さらに使い易いテーブルタップを提供することを課題とする。
【０００４】
【課題を解決するための手段】
上記課題を解決するために、本件発明は、刃受ばね７を有するコンセント本体２が納装された外シェル３の前面に上記刃受ばね７に対応する栓刃挿入孔６が形成されたテーブルタップであって、外シェル３の内部にコンセント本体２が納装され、上記コンセント本体２は、一対乃至複数対の刃受ばね７と、各刃受ばね７を互いに電気的に接続する導電体８と、導電体８を外部電線９に電気的に接続する給電端子片１１とが一体化されたコンセントコアブロック１３と、コンセントコアブロック１３を納装する内ケース１４とで構成され、内ケース１４は内部ボディ１４ａと内部カバー１４ｂとからなると共に内部ボディ１４ａ又は内部カバー１４ｂの一方に嵌合部１８を設け、他方に該嵌合部１８に引っ掛け係止される嵌合爪１９を設け、外シェル３の長さ方向の両側に、刃挿入孔６に隣接して、電気機器に直流を供給するＡＣアダプター４の栓刃４ａが設けられる側の接続面４ｃを載置するための平坦で且つ外シェル３の長さ方向に延びたアダプター載置面５を設けたことを特徴としており、このように構成することで、刃受ばね７と導電体８と給電端子片１１とを内ケース１４内に容易に組み付け可能となり、しかも外部電線９とコンセントコアブロック１３とを容易に接続でき、コンセント本体２の組立て性が向上する。しかも、内部カバー１４ｂを内部ボディ１４ａに押し付けて嵌合爪１９を嵌合部１８に嵌合させるだけで、内部カバー１４ｂを内部ボディ１４ａにワンタッチでしかも確実に組み付けることができ、しかも組立ネジを用いてネジ締めする場合のように内部ボディ１４ａと内部カバー１４ｂとの間で細かい位置合わせも不要となり、そのうえ内部ボディ１４ａ及び内部カバー１４ｂに夫々ネジ孔を開口させる必要がないので、ネジ孔を開口させることによる内ケース１４全体の強度低下を防止することができる。さらにＡＣアダプター４の栓刃４ａを栓刃挿入孔６から刃受ばね７に差し込むと共に、アダプター載置面５にＡＣアダプター４を載置することによって、ＡＣアダプター４をテーブルタップ１に安定して接続でき、しかも、複数の栓刃挿入孔６がＡＣアダプター４で塞がれることもなくなる。
【０００５】
また本発明は、上記内部カバー１４ｂを内部ボディ１４ａに押し付けて嵌合爪１９を嵌合部１８に嵌合させる構成に代えて、内部ボディ１４ａと内部カバー１４ｂとを鋲１５によりかしめ接続したことを特徴としており、このように構成することで、内部ボディ１４ａと内部カバー１４ｂとを鋲１５により強固にかしめ固定でき、ねじ固定の場合と比較して組立てが簡単になる。
【０００６】
上記コンセントコアブロック１３の給電端子片１１に、かしめ圧着によって外部電線９が接続されるかしめ圧着部１０を一体に設けるのが好ましく、この場合、外部電線９と給電端子片１１との電気的及び機械的接続を容易にしかも確実に行なうことができる。
【０００７】
また、上記外部電線９の給電端子片１１との接続部分９ａにかかる張力を除去するための張力除去手段２０を設けるのが好ましく、この場合、外部から外部電線９が不意に引張られた場合でも、外部電線９と給電端子片１１との電気的接続状態を維持できる。上記外シェル３の背面側に金属製の机やキャビネットなどに磁着されるマグネット２１を収納するマグネット収納凹所２２を設け、該マグネット収納凹所２２内にマグネット２１を係止するマグネット係止手段２３を設けるのが好ましく、この場合、マグネット２１を外シェル３に容易に組み付け可能となり、またマグネット２１を金属面に磁着させることで、テーブルタップ１を床以外の場所に容易に設置でき、テーブルタップ１が床に転がって邪魔になることがなくなる。
【０００８】
上記コンセントコアブロック１３に別のコンセントコアブロックに電気的に接続可能な一対の接続端子片１２を設けると共に、両接続端子片１２を互いに段差状に配置するのが好ましく、この場合、両接続端子片１２を段差状に配置することで、コンセントコアブロック１３に別のコンセントコアブロックを接続した際に、接続端子片１２間でのショートの発生を有効に防ぐことができる。
【０００９】
上記コンセント本体２の通電状態を表示するための通電表示手段３０を設けるのが好ましく、この場合、通電表示手段３０によってコンセント本体２が通電状態にあるかどうかの確認を一目で行なえるようになる。
【００１０】
【発明の実施の形態】
以下、本件発明の実施形態の一例を説明する。本実施形態のテーブルタップ１は、図５〜図９に示すように、４個の刃受ばね７を一列に備えた長手形状のコンセント本体２と、コンセント本体２が納装される長手形状の外シェル３とから成る。外シェル３の前面には図１に示すように、上記４個の刃受ばね７に対応して４個の栓刃挿入孔６が一列に形成されており、このうち長さ方向の両側に位置する２個の栓刃挿入孔６に夫々隣接して、外シェル３の長さ方向に延びた平坦なアダプター載置面５が夫々形成されている。
【００１１】
アダプター載置面５は、ＡＣアダプター４の栓刃４ａが設けられる側の接続面４ｃと略同じ大きさを有している。ＡＣアダプター４は、例えばパソコンなどのＯＡ機器に直流を供給するために用いられ、図２に示すように、アダプター本体４ｂの接続面４ｃに一対の栓刃４ａが突設されていると共に、アダプター本体４ｂの側面から電源コード４ｃが出ている。このＡＣアダプター４の接続面４ｃを上記アダプター載置面５に載置した状態でＡＣアダプター４の栓刃４ａを１つの栓刃挿入孔６から刃受ばね７に差込んでアダプター本体４ｂを回動させることにより、ＡＣアダプター４をコンセント本体２に機械的及び電気的に接続できるようになっている。図中の９はテーブルタップ１の外部電線である。
【００１２】
上記テーブルタップ１の外シェル３は、熱可塑性合成樹脂によって成形されており、外部ボディ３ａと外部カバー３ｂとで構成されていると共に、これらは組立てネジ等を用いて組み立てられている。しかして、ＡＣアダプター４をテーブルタップ１に接続するにあたっては、図２（ｂ）に示すように、ＡＣアダプター４の接続面４ｃを平坦なアダプター載置面５に載置しながら、ＡＣアダプター４の栓刃４ａを栓刃挿入孔６から刃受ばね７に差込み接続することによって、ＡＣアダプター４がテーブルタップ１の外側にはみ出すことがなく、安定して接続でき、これによりＡＣアダプター４がテーブルタップ１から外れる恐れがなくなり、電源が不用意に切れてパソコン等への入力中のデーターが消去されてしまうといった問題を解消できるようになる。しかも、アダプター載置面５はＡＣアダプター４の接続面４ｃと同じ大きさを有しているので、ＡＣアダプター４はアダプター載置面５内に納まって複数の刃挿入孔６がＡＣアダプター４で塞がれてしまうことがなくなり、この結果、ＡＣアダプター４をテーブルタップ１に安定して支持できる構造でありながら、ＡＣアダプター４と一緒にプラグ等を接続することができ、テーブルタップ１の使用性を向上させることができる。
【００１３】
また上記外部ボディ３ａの背面側には、図３及び図４に示すように、例えば金属製の机やキャビネットなどに磁着されるマグネット２１を収納するマグネット収納凹所２２が設けられている。本実施形態のマグネット２１は、断面略Ｕ字状の外周枠２１ｂに永久磁石２１ａを固定して構成されており、このマグネット２１を収納するマグネット収納凹所２２は外シェル３の長手方向の両端部に夫々設けられている。また、マグネット２１の外周枠２１ｂの一側端に係止爪２３ａが突設されると共に、マグネット収納凹所２２内の一壁面がわに上記係止爪２３ａが係合可能なフック２３ｂが設けらており、これら係止爪２３ａとフック２３ｂとで、マグネット収納凹所２２内にマグネット２１を係止するためのマグネット係止手段２３が構成されている。つまり、マグネット収納凹所２２内にマグネット２１を押し込むと、フック２３ｂにマグネット２１の係止爪２３ａが引っ掛かり、抜け止めされることによってマグネット２１をワンタッチで係止でき、このマグネット２１を例えば金属製の机やキャビネット等の金属面に磁着させることで、テーブルタップ１を床以外の場所に容易に設置でき、テーブルタップ１が床に転がって邪魔にならないようにできるものである。
【００１４】
上記外シェル３内には、コンセント本体２が納装されている。コンセント本体２は、４個口コンセントコアブロック１３Ａと、４個口コンセントコアブロック１３Ａが納装される内ケース１４とで構成されている。先ず、内ケース１４は、成形品から成る内部ボディ１４ａと内部カバー１４ｂとで構成されている。内部カバー１４ｂには、４個口コンセントコアブロック１３Ａの４個の刃受ばね７に対応する位置に４個のだるま穴状の栓刃受け口３１が一列に形成されている。ところで、ソケットやＡＣアダプター４等の栓刃４ａを刃受ばね７に対して抜き差しする際にアークが発生することがあり、このため栓刃４ａと刃受ばね７との接触部で発熱することがあるから、刃受ばね７を備えたコンセントコアブロック１３を納装する内ケース１４には特に耐熱性が要求される。一方、テーブルタップ１は移動自在に使用されるから、落下させたり他の物品に衝突したりすることがあり、内ケース１４を覆う外シェル３には耐衝撃性が要求される。ここで、耐熱性と耐衝撃性とを同一材料で満足させるのは困難であるために、本実施形態では、耐熱性を有する熱硬化性合成樹脂にて内ケース１４を形成すると共に、耐衝撃性を有する熱可塑性合成樹脂から成る外シェル３で内ケース１４を覆うようにしている。もちろん、内ケース１４と外シェル３の両方を熱塑性樹脂で成形してもよく、また両方を熱硬化性樹脂で成形してもよいものである。
【００１５】
内ケース１４の組立ては、上記内部ボディ１４ａと内部カバー１４ｂとを鋲１５によりかしめ接続することにより行なわれる。内部ボディ１４ａ及び内部カバー１４ｂには、図５に示すように、２つのかしめ接続孔３２，３３が穿孔されている。内部ボディ１４ａのかしめ接続孔３２は内部ボディ１４ａの厚み方向に立設されたボスから成り、内部ボディ１４ａの裏面からボス内に鋲１５を挿入して、鋲１５の先端を内部カバー１４ｂのかしめ接続孔３３から突出させ、鋲１５の両端部をかしめることによって内部ボディ１４ａと内部カバー１４ｂとを強固に固定でき、ねじ固定の場合と比較して組立てが簡単になり、また鋲１５のかしめ部分の外観が悪くても、内ケース１４は外シェル３内部に収納されるので外部からは見えず、外シェル３の外観が損なわれないものである。
【００１６】
上記内ケース１４に納装される４個口コンセントコアブロック１３は、４個の刃受ばね７と、各刃受ばね７を電気的に接続する導電体８と、導電体８を外部電線９に電気的に接続するための給電端子片１１とを一体化して構成されている。本実施形態では、導電体８は図５に示すような２本の導電バー３５から成り、一方の導電バー３５には４個の刃受ばね半体７ａが一体形成されていると共に、導電バー３５の一端部に給電端子片１１、他端部に接続端子片１２が一体形成されており、また他方の導電バー３５には４個の刃受ばね半体７ａが一体形成されていると共に、導電バー３５の一端部に給電端子片１１、他端部に接続端子片１２が一体形成されている。そして、この２本の導電バー３５を組み合わせることで、４個の刃受ばね７が一列に設けられた４個口コンセントコアブロック１３Ａが構成され、これを前記内部ボディ１４ａに設けたコンセントコアブロック収納部３７に収納し、上から内部カバー１４ｂを組み付けることによって４個口のコンセント本体２が構成される。なお、上記導電バー３５の他端部から突設されている接続端子片１２は、後述のように別のコンセントコアブロック１３を増設する際に、別のコンセントコアブロック１３に設けた一対の接続端子片１２と電気的に接続するために用いられる。また図５中の３８は内部ボディ１４ａ内において両導電バー３５を互いに隔絶する仕切壁である。
【００１７】
上記４個口コンセントコアブロック１３Ａの一対の給電端子片１１には、かしめ圧着によって外部電線９が接続されるかしめ圧着部１０が一体に設けられている。かしめ圧着部１０は金属材から成り、その内部に外部電線９を挿入してかしめることによって、外部電線９と給電端子片１１との電気的及び機械的接続を容易にしかも確実に行なうことができ、コンセントコアブロック１３Ａの組立て作業性が良好となる。
【００１８】
また内ケース１４内には、外部電線９の給電端子片１１との接続部分９ａにかかる張力を除去するための張力除去手段２０が設けられている。張力除去手段２０として、図９に示すように、内ケース１４内に引き込まれる外部電線９の外周部分に平板状のブッシング４０を取付け、このブッシング４０を内部ボディ１４ａの端壁１４ｂとこの端壁１４ｂに隙間をあけて立設された壁部１４ｃとの間に収納保持すると共に、内部ボディ１４ａの壁部１４ｃとコンセントコアブロック１３の給電端子片１１との間に、高さの異なる第１の電線押さえ部４１と第２の電線押さえ部４２とを外部電線９の通線方向に沿って並設し、内部ボディ１４ａと内部カバー１４ｂとを組立てた時に第１及び第２の電線押さえ部４２と内部カバー１４ｂの内面との間で外部電線９を挟み込むようにしてある。ここで第１の電線押さえ部４１よりも第２の電線押さえ部４２の高さを高くしてあり、これにより、かしめ圧着部１０に近づくにつれて外部電線９を強く押さえることができ、外部電線９の張力除去効果を高めることができる。
【００１９】
さらに、コンセント本体２の通電状態を表示するための通電表示手段３０を設けるのが望ましい。通電表示手段３０として、例えば図９に示すように、リード線９０を介して外部電線９と並列に接続されるＮｅランプ４５と抵抗４６とを実装した回路基板４７を内ケース１４の内側で且つテーブルタップ１の外部電線９が接続される端部とは反対側の端部に納装し、外シェル３の外部カバー３ｂのＮｅランプ４５と対向する前面部分に透光窓４８を設ける。これにより、Ｎｅランプ４５の点灯、消灯によってコンセント本体２が通電状態にあるかどうかの確認が外シェル３の前面部分で容易に行なえるようになり、テーブルタップ１が一層使い易くなる。
【００２０】
なお、図７に示す実施形態では、かしめ接続により内部ボディ１４ａと内部カバー１４ｂとを組み付けたが、これに限定されるものではなく、例えば図１０に示すように、内部ボディ１４ａに嵌合部１８を設け、内部カバー１４ｂに該嵌合部１８に引っ掛け係止される嵌合爪１９を設けるようにしてもよい。この場合、内部カバー１４ｂを内部ボディ１４ａに押し付けて嵌合爪１９を嵌合部１８に嵌合させるだけで、内部カバー１４ｂを内部ボディ１４ａにワンタッチでしかも確実に組み付けることができる。しかも組立ネジを用いてネジ締めする場合のように内部ボディ１４ａと内部カバー１４ｂとの間で細かい位置合わせも不要になるので、製作が容易であり、設備面、コスト面で有利になると共に、内部ボディ１４ａ及び内部カバー１４ｂに夫々ネジ孔を開口させる必要がないので、ネジ孔を開口させることによる内ケース１４全体の強度低下を防止でき、落下や衝突等に十分に対処でき、耐衝撃性に優れた内ケース１４を得ることができる。
【００２１】
次に４個口コンセントコアブロック１３Ａに２個口コンセントコアブロック１３Ｂを増設して６個口コンセントコアブロック１３Ｃを形成する場合の実施形態を図１１〜図１７に示す。なお、コンセントコアブロック１３の基本構造、マグネット２１取付け構造及び通電表示手段３０等については図１〜図９の実施形態と同様であり、対応する箇所には同一符号を付して詳しい説明を省略する。本実施形態では、図１３に示すように、２個口コンセントコアブロック１３Ｂとこれを納装する内部ボディ１４ａ′と内部カバー１４ｂ′とを用い、さらに図１４に示すように、更に外シェル３の前面に６個の栓刃挿入孔６を設け、その長さ方向の両側に位置する２個の栓刃挿入孔６に夫々隣接して平坦なアダプター載置面５を夫々設けるようにしている。
【００２２】
また４個口コンセントコアブロック１３Ａの外部電線９に接続される側の一端部とは反対側の端部には一対の接続端子片１２が突設されており、また２個口コンセントコアブロック１３Ｂの両端部からは一対の接続端子片１２が夫々突設されている。ここで一対の接続端子片１２は互いに段差状に配置されており、図１６に示すように、４個口コンセントコアブロック１３Ａと２個口コンセントコアブロック１３Ｂの対向する一対の接続端子片１２同士を互いに重ね合わせて鋲１６にてかしめ接続することによって、６個口コンセントコアブロック１３Ｃを一体に形成できるものであり、また、一対の接続端子片１２を互いに段差状に配置することにより、接続端子片１２間でショートを起こさないようにすることができ、使用上の安全性を容易に確保できるものとなる。
【００２３】
なお、２個口コンセント本体２′を４個組み合わせて８個口コンセントコアブロック１３Ｄを形成したが、これに限定されず、２個口コンセント本体２の数によって８口以下或いは８個口以上のコンセントコアブロックを形成できるのは勿論のことである。
【００２４】
【発明の効果】
以上説明したように、本件発明のうち請求項１記載の発明は、刃受ばねを有するコンセント本体が納装された外シェルの前面に上記刃受ばねに対応する栓刃挿入孔が形成されたテーブルタップであって、外シェルの内部にコンセント本体が納装され、上記コンセント本体は、一対乃至複数対の刃受ばねと各刃受ばねを互いに電気的に接続する導電体とこの導電体を外部電線に電気的に接続する給電端子片とが一体化されたコンセントコアブロックと、コンセントコアブロックを納装する内ケースとで構成され、内ケースは内部ボディと内部カバーとからなると共に内部ボディ又は内部カバーの一方に嵌合部を設け、他方に該嵌合部に引っ掛け係止される嵌合爪を設けたから、刃受ばねと導電体と給電端子片とを内ケース内に容易に組み付けることができると共に、外部電線とコンセントコアブロックとの接続も容易にでき、コンセント本体の組立て作業性が大幅に向上する。また、内部カバーを内部ボディに押し付けて嵌合爪を嵌合部に嵌合させるだけで、内部カバーを内部ボディにワンタッチでしかも確実に組み付けることができ、しかも組立ネジを用いてネジ締めする場合のように内部ボディと内部カバーとの間で細かい位置合わせも不要になるので、作業性が大幅に向上すると共に、内部ボディ及び内部カバーに夫々ネジ孔を開口させる必要がないので、ネジ孔を開口させることによる内ケース全体の強度低下を防止でき、落下や衝突等に十分に対処でき、コンセントコアブロックを充分に保護することができる耐衝撃性に優れた内ケースを得ることができる。また、外シェルの長さ方向の両側に、栓刃挿入孔に隣接して、電気機器に直流を供給するＡＣアダプターの栓刃が設けられる側の接続面を載置するための平坦で且つ外シェルの長さ方向に延びたアダプター載置面を設けたから、ＡＣアダプターの栓刃を栓刃挿入孔から刃受ばねに差し込むと共に、アダプター載置面にＡＣアダプターを載置することによって、ＡＣアダプターをテーブルタップに安定して接続できるようになり、従来のようにＡＣアダプターがテーブルタップから外れる恐れもなく、従って、電源が不用意に切れてパソコン等への入力中のデーターが消去されてしまうなどの問題を解消できるようになる。しかも、ＡＣアダプターはアダプター載置面内に納まるので、ＡＣアダプターによって複数の栓刃挿入孔が塞がれてしまうこともなく、従って、ＡＣアダプターをテーブルタップに安定して支持できると同時に、ＡＣアダプターと一緒に他のプラグ等を接続できるようになる。
【００２５】
また請求項２記載の発明は、請求項１の内部カバーを内部ボディに押し付けて嵌合爪を嵌合部に嵌合させる構成に代えて、内部ボディと内部カバーとを鋲によりかしめ接続して成るから、内部ボディと内部カバーとを鋲により強固にかしめ固定でき、ねじ固定の場合と比較して組立てが簡単になると共に、鋲のかしめ部分の外観が悪くても、内ケースは外シェル内部に収納されるので外部からは見えず、従って、外シェルの外観に悪影響を与えることもない。
【００２６】
また請求項３記載の発明は、請求項１又は請求項２記載のコンセントコアブロックの給電端子片に、かしめ圧着によって外部電線が接続されるかしめ圧着部を一体に設けたから、請求項１又は請求項２記載の効果に加えて、外部電線を給電端子片と一体に設けたかしめ圧着部にかしめ圧着するだけで、外部電線と給電端子片との電気的及び機械的接続を容易にしかも確実に行なうことができ、コンセントコアブロックの組立て作業性が大幅に向上する。
【００２７】
また請求項４記載の発明は、請求項１又は請求項２記載の外部電線の給電端子片との接続部分にかかる張力を除去するための張力除去手段を設けたから、請求項１又は請求項２記載の効果に加えて、外部から外部電線が不意に引張られた場合でも、外部電線と給電端子片との電気的接続状態を維持でき、従って、テーブルタップの信頼性を高めることができる。
【００２８】
また請求項５記載の発明は、請求項１又は請求項２記載の外シェルの背面側に金属製の机やキャビネットなどに磁着されるマグネットを収納するマグネット収納凹所を設け、該マグネット収納凹所内にマグネットを係止するマグネット係止手段を設けたから、請求項１又は請求項２記載の載の効果に加えて、マグネット係止手段によって外シェルに係止されたマグネットを金属製などに磁着させることで、テーブルタップを床以外に容易に設置でき、テーブルタップが床に転がって邪魔になることがなくなる。
【００２９】
また請求項６記載の発明は、請求項１又は請求項２記載のコンセントコアブロックに別のコンセントコアブロックに電気的に接続可能な一対の接続端子片を設けると共に、両接続端子片を互いに段差状に配置して成るから、請求項１又は請求項２記載の効果に加えて、両接続端子片を段差状に配置することで、コンセントコアブロックに別のコンセントコアブロックを接続した際に、接続端子片間でのショートの発生を有効に防ぐことができ、使用上の安全性を容易に確保できるようになる。
【００３０】
また請求項７記載の発明は、請求項１又は請求項２記載のコンセント本体の通電状態を表示するための通電表示手段を設けたから、請求項１又は請求項２記載の載の効果に加えて、通電表示手段によってコンセント本体が通電状態にあるかどうかの確認が容易に行なえるようになり、テーブルタップが一層使い易くなる。
【図面の簡単な説明】
【図１】本件発明の実施形態の一例を示す斜視図である。
【図２】（ａ）は同上のＡＣアダプターの斜視図、（ｂ）はＡＣアダプターの取付け状態の説明図である。
【図３】同上のマグネットの取付け状態を説明する分解斜視図である。
【図４】同上の外シェルのマグネット収納凹所を説明する断面図である。
【図５】同上の４個口コンセントコアブロックの分解斜視図である。
【図６】同上のテーブルタップの分解斜視図である。
【図７】同上の４個口コンセントコアブロックの組立て状態を説明する分解斜視図である。
【図８】同上の組立て後の４個口コンセントコアブロックの斜視図である。
【図９】同上の通電表示手段を説明するテーブルタップの分解斜視図である。
【図１０】同上の４個口コンセントコアブロックの組立て状態の他例を説明する分解斜視図である。
【図１１】本件発明の他の実施形態の斜視図である。
【図１２】同上の分解斜視図である。
【図１３】同上の６個口コンセントコアブロックの分解斜視図である。
【図１４】同上のテーブルタップの分解斜視図である。
【図１５】同上の６個口コンセントコアブロックの組立て状態を説明する分解斜視図である。
【図１６】同上の４個口コンセントコアブロックと２個口コンセントコアブロックとの接続状態を説明する斜視図である。
【図１７】同上の通電表示手段を説明するテーブルタップの分解斜視図である。
【図１８】（ａ）（ｂ）は従来のＡＣアダプターの接続状態の説明図である。
【符号の説明】
１  テーブルタップ
２  コンセント本体
３  外シェル
６  栓刃挿入孔
７  刃受ばね
８  導電体
１０  かしめ圧着部
１１  給電端子片
１２  接続端子片
１３  コンセントコアブロック
１４  内ケース
１４ａ  内部ボディ
１４ｂ  内部カバー
１５  鋲
１８  嵌合部
１９  嵌合爪
２０  張力除去手段
２１  マグネット
２２  マグネット収納凹所
２３  マグネット係止手段
３０  通電表示手段
【図１】
0003601223.tif 000002
【図２】
0003601223.tif 000003
【図３】
0003601223.tif 000004
【図４】
0003601223.tif 000005
【図５】
0003601223.tif 000006
【図６】
0003601223.tif 000007
【図７】
0003601223.tif 000008
【図８】
0003601223.tif 000009
【図９】
0003601223.tif 000010
【図１０】
0003601223.tif 000011
【図１１】
0003601223.tif 000012
【図１２】
0003601223.tif 000013
【図１３】
0003601223.tif 000014
【図１４】
0003601223.tif 000015
【図１５】
0003601223.tif 000016
【図１６】
0003601223.tif 000017
【図１７】
0003601223.tif 000018
【図１８】
0003601223.tif 000019